(57)【要約】本発明は円筒形の支持体をワインボトルの口に載置し、押し回しハンドルを回転させて保持ねじを下降させてコルク栓内に貫入させた後、押し回しハンドルと螺合する取り出しハンドルを回転させることにより、押し回しハンドルと一体となるように結合した保持ねじがコルク栓を保持したまま上昇し、それによってコルク栓をワインボトルの口から容易に抜き出すことができるようにする回転式コルク栓の取り出し構造を有するコルク抜きに関するものである。このような本コルク抜きは、特にコルク栓に保持ねじを貫入してこれを保持した状態で取り出しハンドルを緩やかに回転させて取り出す際、ハンドルを強い力で無理に引っ張ってコルク栓を抜き出す必要がないため、無理な動作やあまり力を入れる必要がなく、使用が非常に易しくて安定であるという利点がある。このように、本発明はコルク栓の取り出し時にわずかな力でもハンドルを容易に回転させ、その回転力を直進力に変換してコルク栓を抜き出すことができるので、力が弱い老人や女性が使用するのにも非常に便利である。
2004536752.tif 000002
【特許請求の範囲】
【請求項１】
ワインボトルの口を閉鎖しているコルク栓を当該ボトルの口から取り出すためのコルク抜きにおいて、
前記ワインボトルの口に被せるようにして載置する支持体、
前記支持体と回転可能に噛み合う雌ねじを中心部に形成した結合孔を有する取り出しハンドル、
前記取り出しハンドルの結合孔と結合し、回転力を加えることにより前記雌ねじに沿って回転しながら前進し、かつ、前記取り出しハンドルの回転により無回転で後退する移送ねじ、
前記移送ねじの前端で、これと一体となるように一列に結合し、前記移送ねじの前進方向への回転により前記コルク栓の中に貫入し、前記移送ねじの無回転での後退により前記コルク栓を前記ワインボトルから引き出す保持ねじ、および、
前記移送ねじの上部に取り付けた、当該移送ねじに前記回転力を加えるための押し回しハンドルを具えるコルク抜き。
【請求項２】
前記移送ねじと前記保持ねじとの間に取り付けた少なくとも一つの切断刃を有する、前記ワインボトルのコルク栓を包むフォイルを回転しながら切断するためのフォイル切断手段をさらに具える請求項１記載のコルク抜き。
【請求項３】
前記支持体が、前記ワインボトルを所定深さまで該支持体へ挿入可能とするために、該支持体の内壁に形成した止め部材を有し、前記止め部材の内側空間が、前記コルク栓を前記ワインボトルから完全に取り出すのに十分な高さを有することを特徴とする請求項１記載のコルク抜き。
【請求項４】
前記取り出しハンドルが、前記移送ねじと螺旋状に螺合する雌ねじを内側に形成した円筒形本体と、前記本体の外側上部から半径方向に延在する握り部と、前記本体の外側下部から半径方向に延在する係合支持部とを有し、前記係合支持部が、該支持部と、軸線方向への移動無しに回転可能に係合するように前記支持体の上部から逆半径方向に延在する係止部によって係止されることを特徴とする請求項１記載のコルク抜き。
【請求項５】
前記支持体および前記取り出しハンドルが、それぞれワイングラス形の上部形状および下部形状をなし、これらが互いに回転可能に結合することを特徴とする請求項１記載のコルク抜き。
【請求項６】
前記支持体および前記取り出しハンドルが、それぞれ前記ワイングラス形の中央部に形成した係止部および結合支持部によって回転可能に結合し、前記支持体上の前記取り出しハンドルが前記支持体に向けて押圧されるときには回転を抑制し、その反対方向に押圧されるときには回転を許容する、前記係止部および前記結合支持部の所定の対応部分に形成した係止突起を有することを特徴とする請求項５記載のコルク抜き。
【請求項７】
ワインボトルの口を閉鎖しているコルク栓を当該ボトルの口から取り出すためのコルク抜きにおいて、
内壁に、中心方向に突出する少なくとも一つの内側傾斜部を形成した、前記ワインボトルの口に被せるように載置するケーシング形の支持体、
内壁に雌ねじを形成した円筒形の本体と、当該円筒形の本体外壁から半径方向に偏って延在する翼部とを有し、当該翼部が前記支持体と回転可能に噛み合う取り出しハンドル、
前記取り出しハンドルの円筒形の本体と螺旋状に結合し、回転力を加えることにより前記雌ねじに沿って回転しながら前進し、前記取り出しハンドルの回転により無回転で後退する移送ねじ、
前記移送ねじの前端で、これと一体となるように一列に結合し、前記移送ねじの前進方向への回転により前記コルク栓の中に貫入し、前記移送ねじの無回転での後退により前記コルク栓を前記ワインボトルから引き出す保持ねじ、
前記移送ねじと前記保持ねじを前記コルク栓内へ回転させつつ貫入させるために、前記移送ねじの一端に取り付けた押し回しハンドル、および、
前記取り出しハンドルと前記支持体とで規定するケーシング形の空間内に垂直移動可能に取り付けたカッター付きケーシングを具え、
前記ケーシングが、その上部が少なくとも二つに分離した部分によって垂直方向に分離し、少なくとも一つのフォイルカッターを前記分離した部分の内側に取り付け、前記分離した部分の表面が少なくとも一つの外側傾斜部を有する構造を有し、それによって、外力によって前記ワインボトルの口を所定の深さに挿入すると、当該ワインボトルの口が前記ケーシング形の空間内へと押し込められ、前記外側傾斜部が前記支持体の内側傾斜部に向けて押圧され、それによって前記フォイルカッターが前記ワインボトルの口のフォイル表面に押し付けられるコルク抜き。
【請求項８】
前記カッター付きケーシングを弾性材料から作製し、当該ケーシングが、外力を除去したときに前記内側傾斜部に沿って上方へ移動しながら拡張し、かつ、弾性によって元の状態に復帰する請求項７記載のコルク抜き。
【請求項９】
外力を除去する間、前記カッター付きケーシングを元の状態に復元し、かつ、当該ケーシングを上向きに支持するために取り付けた弾性ばね部材をさらに具える請求項７または８記載のコルク抜き。
【請求項１０】
前記カッター付きケーシングが四つの分割部分に分割した上部を有し、前記フォイルカッターを互いに向き合うこれら分割部分の各対の内側に取り付け、前記外側傾斜部を前記フォイルカッターを取り付けた分割部分の外側に形成した請求項７〜９のいずれか１項記載のコルク抜き。
【請求項１１】
前記カッター付きケーシングが、当該ケーシング側面の所定の位置に形成した垂直案内溝を有し、前記支持体内面には前記垂直案内溝と対向する案内突起を形成し、当該案内突起を前記案内溝に挿入することにより前記カッター付きケーシングの垂直移動を案内する請求項７〜１０のいずれか１項記載のコルク抜き。
【請求項１２】
前記支持体が、ろうそくを保持するために、その上部に取り付けたろうそく立て板を有する請求項７記載のコルク抜き。
【請求項１３】
前記支持体が、前記ワインボトルを所定の深さまで挿入可能とするための、前記カッター付きケーシングの上部に内向きに突出する止め部材を有し、前記フォイルカッターが前記止め部材よりも浅い地点で中央に向けて突出する二重の刃を有する請求項７記載のコルク抜き。
【請求項１４】
ワインボトルの口を閉鎖しているコルク栓を当該ボトルの口から取り出すためのコルク抜きにおいて、
前記ワインボトルの口を外挿したときに弾性的に拡張するように少なくとも二つの分割部分に垂直方向に分割した上部を有し、フォイルに押し付けて回転させることにより当該フォイルを切断するように前記分割部の内壁の少なくとも一つに少なくとも一つのカッターを取り付け、かつ、下側中央部に雌ねじを設けた結合孔を有する支持体、
回転力を加えることにより前記雌ねじに沿って回転しながら前進および後退するように前記結合孔と螺合する移送ねじ、
前記移送ねじの前端で、これと一体となって一列に結合し、前記雌ねじに沿って前記移送ねじの前進方向への回転により前記コルク栓の中に貫入し、前記コルク栓を保持しつつ前記ワインボトルをの回転力により回転しながら前記雌ねじに沿った前記移送ねじの後退方向への回転により前記コルク栓を前記ワインボトルから引き出す保持ねじ、および、
前記保持ねじを前記コルク栓内で保持するために回転させて挿入するように、前記移送ねじの一端に取り付けた押し回しハンドルを具えるコルク抜き。
【請求項１５】
前記支持体が、前記ワインボトルを所定の深さまで挿入可能とするための、前記支持体の上部に内向きに突出する止め部材を有し、前記フォイルカッターが前記止め部材よりも浅い地点から中央に向けて突出する請求項１４記載のコルク抜き。
【発明の詳細な説明】
【技術分野】
【０００１】
本発明はワインボトルからコルク栓を弱い力でも容易に取り出すことができるコルク抜きに関するものであり、特にフォイルカッター、王冠オープナーおよび/またはろうそく立てなどの機能を兼備した多機能コルク抜きに関するものである。
【０００２】
背景技術
一般的に、ワインボトルの口はコルク木材から得るコルク栓を利用して閉鎖している。このコルク栓は、通常ワインボトルの口に深く挿入されており、容易に取り出すことができない。したがって、コルク栓をワインボトルから取り出すためにはコルク抜きという道具を使用する。このようなコルク抜きは普遍的に螺旋形の保持ねじを有するハンドルからなり、ハンドルを手で握って回すと、このハンドルと連結した保持ねじがワインボトルに挿入されたコルク栓内に貫入して固定される。このようにコルク栓に保持ねじが貫入して固定された状態でハンドルに強い力を加えるとコルク栓が外部に取り出せるようになる。
【０００３】
また、従来のコルク抜きの他の例としては、全体が長い螺旋形を有するねじ形態で、ねじが継続的な回転圧力でコルク栓を貫通し、コルク栓がねじに沿って上昇するようにして取り出す方式のものである。この場合コルク栓の微細な破片がワインボトル内に落ちてワインを捨てざるを得なくなる場合が発生する。また他の例として、ねじの下降によってレバーが上昇し、このレバーを下に押すと挺子の原理によってコルク栓を引き上げる形態のものがある。この場合には使用時にねじを回転させる手にレバーが当たるなどの動作上の不便を招くだけでなく、ねじがコルク栓の中心に正しく貫入しないためにコルク栓の破損が発生する場合がある。
【０００４】
このような既存のコルク抜きは、コルク栓の取り出し時にハンドルに強い力を与えなければならないために、力が弱い老人や女性が使用するのが非常に難しかった。また、ハンドルを引っ張るか押さえて取り出さなければならないので使用の上で不便なだけでなく、安定的ではなかった。さらに、ワインボトル内でのねじの貫通によりコルク栓が破損してワインが汚染し、飲むのに不快となるという深刻な問題も引き起こされる。
【０００５】
発明の開示
したがって、本発明の第一の目的は、上述した種々の欠点を解消するためのコルク抜きを案出することにあり、ワインボトルに載置する円筒形の支持体を有し、元の場所で回転する保持ねじで延長された移送ねじと螺合する取り出しハンドルを回転させることにより、わずかな力でもコルク栓に固定した保持ねじを上昇させて容易にワインボトルからコルク栓を取り出すことができるコルク抜きを提供するところにある。
【０００６】
本発明の第二の目的は、支持体の内部にフォイルカッターを装着して、コルク栓を取り出す前にワインボトルの入口でコルク栓を包んでいるフォイルを切断できるフォイル切断機能を兼備したコルク抜きを提供することにある。
【０００７】
本発明の第三の目的は、押し回しハンドルにボトルの栓を除去するための栓抜き機能を遂行する構成を具備したコルク抜きを提供することにある。
【０００８】
前記目的を達成するための本発明による回転式コルク栓の取り出し構造を有するコルク抜きは、ワインボトルの口を閉鎖しているコルク栓に保持ねじを貫入かつ固定させて当該ボトルの口から取り出すコルク抜きにおいて、前記ワインボトルの口に被せるように載置する支持体と、該支持体と回転可能に結合し、中心部に雌ねじを形成した結合孔を具備す取り出しハンドルと、該取り出しハンドルの結合孔と結合して貫通し、前記支持体と取り出しハンドルが形成する内部空間に位置した前記保持ねじと連結して前記保持ねじを昇降させる移送ねじと、前記移送ねじの外側開放端に固定した、前記保持ねじを前記コルク栓に回転しながら貫入させるようにする押し回しハンドルを含む。
【０００９】
また、前記目的を達成するための本発明による回転式コルク栓の取り出し構造を有するコルク抜きは、ワインボトルの口を閉鎖しているコルク栓に保持ねじを貫入かつ固定させて当該ボトルの口から取り出すコルク抜きにおいて、前記ワインボトルの口に被せるように載置した、内部に少なくとも一つ以上の内側傾斜部を形成したケーシング形の支持体、前記支持体と回転可能に結合して概略的にワイングラスの形状をなし、中心部に雌ねじを形成した連結孔を具備する取り出しハンドル、該取り出しハンドルの前記連結孔と連結して貫通し、前記取り出しハンドルおよび前記支持体が形成するケーシング形の空間内に位置する前記保持ねじと連結して当該保持ねじを昇降させる移送ねじ、前記移送ねじの外側開放端に固定されて前記保持ねじを前記コルク栓に回転しながら貫入できるようにした押し回しハンドルおよび、前記取り出しハンドルと前記支持体とで形成したケーシング形の空間内で昇降可能に取り付けた、上部を少なくとも二つ以上の分割部で構成し、前記分割部の内側には少なくとも一つ以上のフォイルカッターを具備し、前記分割部の表面に少なくとも一つ以上の外側傾斜部を形成されたカッター付きケーシングを含む。
【００１０】
また、前記目的を達成するための本発明による回転式コルク栓の取り出し構造を有するコルク抜きは、ワインボトルの口を閉鎖しているコルク栓に保持ねじを進入固定させてボトルの口から取り出すコルク抜きにおいて、前記ワインボトルの口に被せるように載置する、上部を少なくとも二つ以上の分割部に分割して弾性収縮膨脹可能とし、前記分割部の内側には、前記フォイルに押しつけられて、回転しながら前記フォイルを切断するカッターを装着し、下部には雌ねじを形成した連結孔を設けたケーシング形の支持体、前記連結孔と螺合し、前記支持体の内部に位置する前記保持ねじと連結する移送ねじおよび、前記移送ねじの外側開放端に固定され、前記保持ねじを前記コルク栓に回転しながら貫入できるようにする押し回しハンドルを含む。
【００１１】
発明を実施するための最良の形態
以下では、添付した図面を参照して本発明の好適な実施形態に関して詳細に説明する。
【００１２】
図1Aおよび図1Bは、本発明による回転式コルク栓の取り出し構造を有するコルク抜きの一実施形態を示す斜視図および部分断面図である。また、図2は図1Aに示した円形切断板を裏返して示す斜視図である。
【００１３】
図示のように、本発明は、ワインボトル(図示せず)の口を挟んで本コルク抜き1を固定する円筒形の支持体10を具備している。この支持体10は、開口部にワインボトルの口に被せるようにして挟む、段13を設けた挿入固定部12を有しており、コルク抜きが揺れないように支持して保持ねじがコルク栓の正しく中央に挿入することができるように位置を指定する。この挿入固定部12は、ワインボトルのボトル口の大きさに適合する内径を有し、多様な大きさのボトルに適用可能となるように種々の段で構成することもできる。そして、円筒形の側壁11により規定される支持体10の内部は、コルク栓をワインボトルから取り出すのに必要かつ十分な程度の距離を有する空間14を提供する。また、支持体10の円筒形の側壁11の上段には、垂直に折り曲げて中央に所定長さで延長させた形状の係止部16を形成する。
【００１４】
コルク抜き1は、支持体10の係止部16と回転可能に結合する取り出しハンドル20を具備する。この取り出しハンドル20は、概略円筒形の胴体21と、該胴体21の外面上段で半径方向に延在する少なくとも一つ以上のハンドル部22、前記胴体21の外面下段で半径方向に支持体10の円筒形の内壁面近くへ延在する結合支持部24を有する。また胴体21は内面に雌ねじを形成した締結孔26を提供する。
【００１５】
支持体10の係止部16は、取り出しハンドル20のハンドル部22と結合支持部24との間に挿入される。したがって、結合支持部24が、支持体10の係止部16に引っ掛かる構造を有するようになるために、取り出しハンドル20は軸方向への移動なしに元の場所で回転することができる。係止部16の末端部分が垂直に折り曲げられて軸線方向に若干延長した構造を有するように作れば、ハンドル部22と係止部16との間の摩擦を減少させて、より円滑な取り出しハンドル20の回転を保証する。
【００１６】
コルク抜き1はまた、移送ねじ30と保持ねじ60を有する。これら二つのねじ30，60は、一体となって同一軸線に沿い、保持ねじ60を前に配置し、移送ねじ30をその後に配置する。移送ねじ30は取り出しハンドル20の結合孔26に挿入することにより取り出しハンドルと結合し、それによって把持ねじ60は支持体10の内部空間14に位置するようになる。移送ねじ30の上段には、使用者が移送ねじ30を容易に回転させることができるようにするための押し回しハンドル40を結合する。保持ねじ60は、移送ねじ30と同一のピッチを有するように設計すると、一回転によって移送ねじ30が前進する距離と、保持ねじ60が前進する距離とが等しくなる。
【００１７】
通常、ワインボトルは口がコルク栓で塞がれ、さらにフォイルで包装されている。この場合、コルク抜き1がフォイルを切り取る切断機能まで有するのであれば、さらに便利である。このため、コルク抜き1はフォイルカッターをさらに具備する。図2はフォイルカッターの一実施形態として、円形切断板50の形態のフォイルカッターを図示するものである。円形切断板は一つ以上の円板型胴体52と、該円板型胴体52の一側面の周縁部に沿って多数の切断刃54が突出した形態を有する。円板型胴体52の背面と前面の中央には移送ねじ30および保持ねじ60を各々一体で固定し、切断刃54は保持ねじ60と同一の方向に突出している。円形切断板50は支持体10の内部空間14内に存在する。
【００１８】
保持ねじ60としては、先細状の中心部材62に沿って螺旋形のねじ山を形成したものを図1Aおよび1Bに示しているが、このような形態に限定されるものではなく、コルク栓の中に回転しながら進入することができる形状であれば種々の変形が可能である。移送ねじ30も、中心軸に沿って螺旋形のねじ山を形成した形態を示しているが、これに限定されないことは同様である。
【００１９】
もちろん、移送ねじ30と保持ねじ60は、ここで示した実施形態だけでなく、多様な形態および組み合わせが可能である。この部分については図3Aおよび図3Bを参照して詳細に説明する。
【００２０】
図3Aおよび図3Bは、本発明による回転式のコルク栓取り出し構造を有するコルク抜きにおける移送ねじの実施形態を示す部分断面図である。
【００２１】
本コルク抜きは、図3Aに示すように移送ねじ30を、中心軸に沿って回転する螺旋状のワイヤー形として形成することができ、この場合、螺旋状のワイヤーは、それ自体が移送ねじの雄ねじの役割を果たす。また、図3Bに示すようにケーシング形の胴体32上に、その外周面に沿って雄ねじ部34を形成し、取り出しハンドル20内の雌ねじ部28と螺合させることができる。
【００２２】
また、保持ねじ60は、先に図1Aおよび図1Bで示したように、先細状の先端部を有する中心部材を有したねじ型スクリューとは異なり、図3Aおよび図3Bのように先端部が先細状の中心部材を省略して螺旋状のワイヤーのみで構成することもできる。
【００２３】
図4Aおよび図4Bは、本発明における押し回しハンドルの実施形態を示す斜視図である。
【００２４】
押し回しハンドル40は、図4Aに示すように円板型の形状とすることができ、または図4Bに示すように移送ねじを固定する中心板部42の両側に棒型のハンドル部44を形成して一の字型に構成することもできる。もちろん、図4Aのように円板型にする時は、その側面に凹凸状のエンボス加工を施して、押し回しハンドルを把持して回転させる時に滑らないようにすることが望ましい。もちろん、押し回しハンドル40は、三角形、四角形、十字型などの多様な形態での変形実施が可能である。
【００２５】
図5Aおよび図5Bは、本発明における取り出しハンドルの実施形態を示す斜視図であり、取り出しハンドル20は、図5Aに示すように、その側面にエンボス加工を施した円板型のハンドル部分22を有するようにすることができる。もちろん、前でも説明したように、ハンドル20の中心部には、前述した移送ねじと螺合する雌ねじ部28を形成した締結孔26が穿孔されており、円板型のハンドル部22の下には、そこから延在して支持体と係合して元の場所で回転できるように結合する結合支持部24を形成している。支持体と結合支持部は、回転時の摩擦力を最小化できるように係止部の下面と結合支持部の上面、すなわち相互接触面のうちいずれか一方の側に、締結孔の周りに沿って配置する凹凸部(図示せず)を設けることが望ましい。
【００２６】
また、取り出しハンドル20はハンドル部分22を、図5Bのように棒型に突出するように構成することもできる。この時、棒型のハンドル部分は二個またはそれ以上で、望ましくは図示のように四個形成することが使用上便利である。
【００２７】
もちろん、取り出しハンドル20もまた押し回しハンドルと同様に、本発明の目的および要旨を逸脱しない範囲内で多様な変形実施が可能である。
【００２８】
図6Aおよび図6Bは、本発明によるコルク抜きの使用状態を示す断面図であり、これらの図面を参照して本発明によるコルク抜きの動作を詳細に説明する。
【００２９】
支持体10と取り出しハンドル20との結合関係により、取り出しハンドル20が回転しないように固定した状態で、使用者が力を加えて移送ねじ30を右方向に回転させると、移送ねじ30は取り出しハンドル20の締結孔26の雌ねじに沿って前進し、左方向に回転させると反対に後進する。また、移送ねじ30が回転しない状態で取り出しハンドル20を回転させると、取り出しハンドル20が回転軸上で動かないように拘束されているため、締結孔26の雌ねじと噛み合っている移送ねじ30を、回転させずに前後進させることができる。移送ねじ30の回転による保持ねじ60の前進と、これによるコルク栓の保持および、取り出しハンドル20の回転による保持ねじ60の後退と、これによるコルク栓の取り出しという作動機構によって、コルク栓をボトルから容易に抜き取ることができる。これを具体的に説明すると次の通りである。
【００３０】
ワインボトル3からコルク栓5を抜き取るためには、まず本コルク抜き1の支持体10をボトルの口3a上に載置して固定する。すると、図6Aに示すように支持体10の挿入固定部12が、ボトルの口3aを外側から挟んで固定するようになり、支持体10の内部に位置する保持ねじ60の下段部がコルク栓5の上部に隣接するようになる。
【００３１】
この状態で取り出しハンドル20を一方の片手で握り、もう一方の手で押し回しハンドル40を握って回転させる。それによって押し回しハンドル40が回転すると共に、これと連結した移送ねじ30が回転する。移送ねじ30は、取り出しハンドル20の雌ねじ部28によって下降し、それによってこれと連結した円形切断板50と保持ねじ60もまた一体となって回転しながら下降する。その結果、図6Bに示すように保持ねじ60がコルク栓5内に連続的に回転しながら進入し、最終的に円形切断板50が、コルク栓5に接近しつつコルク栓5を覆っているフォイルの表面を回転しながらこれを円形に切断してコルク栓5の取り出しを容易にし、円形切断板50とコルク栓5とが完全に密着した後には保持ねじの回転を抑制する作用をすることとなる。
【００３２】
このように保持ねじ60がコルク栓5に進入してコルク栓5を保持した状態で、ワインボトル3からコルク栓5を取り出すためには、取り出しハンドル20を、前過程での押し回しハンドル40の回転方向と同じ方向に回転させる。すると、雌ねじ部28の回転により、これと螺合している移送ねじ30の雄ねじ部が押し上げられる。より詳細に説明すると、ボトルの口3aの上に載置して固定した支持体10上で、この支持体10と結合した取り出しハンドル20が、元の場所で回転しながらハンドル20と螺合する移送ねじ30を押し上げ、それによって移送ねじ30が垂直上昇する。こうした作用は、移送ねじ30が取り出しハンドル20の雌ねじにより押し上げられる力が、コルク栓5とボトルのネック部内壁との間の摩擦力よりも大きいために可能となるものである。その結果、移送ねじ30と一体となっている保持ねじ60も、コルク栓5を保持したまま上昇することとなる。この時、コルク栓5とボトルの口3aの壁との間の摩擦力によりワインボトル3も共に上昇力を受けるが、ボトルの口3aが段13で係止されているためにコルク栓5が取り出される。
【００３３】
図7は、本発明の他の実施形態を示す斜視図である。
【００３４】
本実施形態では押し回しハンドル40を円板形状とする一方、支持体10aと取り出しハンドル20aとを結合しワイングラス形にデザインして美観を倍加させている。この時、支持体10aおよび取り出しハンドル20aには、ワイングラス形状の中央部分に、各々係止部16aと、これと係合して結合する結合支持部24aからなる構造を形成し、ワイングラス形状の下の部分である取り出しハンドル20aが、支持体10aと共に回転しながら回転取り出し部としての機能を果たすことができるようにしている。この時、ワイングラス形状の外側面に陽刻、陰刻などの多様な模様を形成することによって、作動時の滑りを防止して保持を容易にすると共に、美観をさらに倍加させるものとなる。特に、支持体10aの係止部16aと取り出しハンドル20aの結合支持部24aには、その対応部位のうち一方の側の水平部分に支持体10a上で取り出しハンドル20aが下方に圧力を受ける時(押し回しハンドルを回転させてコルク栓に保持ねじを挿入する時)には回転を抑制し、一方上方に圧力を受ける時(取り出しハンドルを回転させてコルク栓を保持した保持ねじを垂直上昇させる時)には回転を許す係止突起15a，25aを形成している。
【００３５】
この係止突起15a，25aは、係止部16aと結合支持部24aの対応する面に形成されて移送ねじのねじ部のねじ傾斜角よりも小さな傾斜角を有する突起で形成される。また、支持体10aと取り出しハンドル20aの結合部は、この係止突起15a，25aの高さと等しいか、またはわずかに幅広として両者を離間させる。したがって、押し回しハンドル40の回転によって下方へ移動する時は、支持体10aと取り出しハンドル20aが密着することによって回転を抑制する作用をするようになり、上昇によるコルク栓取り出し時には、前記ねじ部の回転上昇角度によって自ずから離間するために取り出しハンドル20aの回転が可能になる。このような作用は図1の場合、取り出しハンドルのハンドル部22と係止部16との接触面の間に係止突起を形成することによっても同一に適用することができる。
【００３６】
このコルク抜き1aを逆に倒立させ、図示のように保持ねじ60上にろうそく120を差し込んで燭台として使用することもできる。
【００３７】
先に開示した各実施形態では、ワインボトルの上部で切断刃が作動してフォイルを切断することによってワインボトルの周縁部との間に摩擦が発生し、使用時に不快感を与えるだけでなく、コルク栓を取り出した後に潰れたフォイルの破片がその近傍にある、開いたボトル口を通してワインボトルの内部に落ちてワインが汚染される恐れがあった。したがって、図8〜図11Bに示す他の実施形態では、フォイルを切断するカッターの構造をワインボトルの側面で切断できるように改善している。図8は本発明の他の実施形態を示す組立斜視図であり、図9は図8の分解組立図であり、また図10は図8に示すコルク抜きの断面図である。さらに図11Aおよび図11Bは、図8に示す二重カッターの使用方法を示す使用状態図であり、各々二重カッターの下部切断刃と上部切断刃の使用方法を示している。以下において、これらの図面を参照してその構造について詳細に説明する。
【００３８】
本実施形態では、移送ねじ30の下段と結合した押し回しハンドル40を円盤形状とする一方、支持体10bと取り出しハンドル20bとを結合してワイングラス形状にデザインし、美観を倍加させている。この時、支持体10bおよび取り出しハンドル20bが合体したワイングラス形状の中央部分に、係止部16bと、これと係合して結合する結合支持部24bをそれぞれ形成して互いに回転できる構造を設け、ワイングラス形状の下の部分である取り出しハンドル20bが回転取り出し部として機能できるようにする。上述の押し回しハンドル40は、下に凹となる円盤形状として、その底部内側に金属製円板70を固定して一般的なボトル栓を開放するオープナーとして機能するようにする。この時、円盤形状の押し回しハンドル40の周縁部には、握りやすく、しかも滑りを防止するために滑り防止用の凹凸46を形成している。
【００３９】
もちろん、本実施形態で開示したコルク抜きもまた、ケーシング形の取り出しハンドル20bの内側に雌ねじを形成して、これと移送ねじ30とを螺合し、この移送ねじ30の外段には前述した押し回しハンドル40が、そして内段には保持ねじ60を結合している。
【００４０】
支持体10bの内側には、カッター付きケーシング80が昇降可能に結合している。このカッター付きケーシング80は、その上部が一定部分だけ切開されて四つの部分に分割されており、この分割部分の外面には外側傾斜部82が形成されている。外側傾斜部82は、カッター付きケーシング80の長さ方向に沿って略Ｖ字形に押し込まれるように構成されている。この外側傾斜部82と対応する支持体10bの内面には内側傾斜部17bが形成されている。内側傾斜部17bは、ワイングラス形状の下部に行くほど内側に略Ｖ字形で突出しながら傾斜している。前述した外側傾斜部82は、支持体10bの4個の分割部分のうち対向する二個の分割部分に形成することができ、内側傾斜部17bも、これら外側傾斜部と対応す部分に二つ形成することが望ましい。また、カッター付きケーシング80の残り二つの対向する分割部分には、垂直の案内溝84を形成し、これと対応する支持体10bの内面には案内突起18bを形成してカッター付きケーシング80を支持体10bの内側で上下に案内するようにする。
【００４１】
カッター付きケーシング80の上部内側には、ワインボトルの一定部分を挿入した状態で係合するようにワインボトル係止部86が突出している。そして、ワインボトル係止部86の上部側には二重カッター88がカッター付きケーシング80の内側に設けられている。この二重カッター88の下側の下部切断刃88aは、図11Aに示すように、一般的なワインボトル3を挿入した時に、その側面を覆っているフォイル4を切断し、その上側の上部切断刃88bは図11bに示すようにワインボトル3が大型で完全に挿入できない場合にフォイル4の上側部分を切断することとなる。かかる構造により、ワインボトル3を挿入すると、結果的にカッター付きケーシング80の分割部分の外側面が、支持体10bの内側傾斜部17bに案内されながら内側に収縮して二重カッター88がワインボトル3側面のフォイル4に押し付けられ、この状態で保持ねじ60を下降させてコルク栓5に固定した状態でワインボトル3を回転させると、二重カッター88がフォイル4を切断すると共にコルク栓5がワインボトル3から上昇して両者が分離することとなる。
【００４２】
このようにコルク栓5を取り出した後、コルク抜きからワインボトル3を取り外すと、再びカッター付きケーシング80が上昇して元の状態に復元するようになるが、これは上部が分割されたカッター付きケーシング80自体が弾性を有することにより可能となるものであり、このためカッター付きケーシング80は弾性を有するプラスチックなどの合成樹脂材料から製造する。さらに、内側傾斜部17bと外側傾斜部とが接触してカッター付きケーシング80が案内されることによって、外力が作用する時にカッター付きケーシング80の分割された、二重カッター88を装着した上段部分が内側に収縮し、一方、外力が除去されると、収縮した前記上段部分がカッター付きケーシング80自体の弾性によって拡張かつ復元しながら内側傾斜部17bに沿って外側傾斜部82が滑りつつ移動する。しかし、より確実な復元のために、カッター付きケーシング80の底面には弾性体90を装着し、この弾性体90が上方への復原力を提供している。
【００４３】
特に、本コルク抜きにおいては、外部に露出する移送ねじ30に金メッキを施すことによってさらに高級さと美麗さを提供すると共に、支持体10bと取り出しハンドル20bとが合体して形成されるワイングラス形状の表面に多様な模様、文字、絵などを設けて審美性を加えることにより広告効果などを示すこともできる。
【００４４】
以上説明した、本実施形態で開示したコルク抜きにおいては、保持ねじ60がコルク栓5を貫通せずに、その一定部分が貫入した状態で、それ以上貫入できないように規制する止め部材を保持ねじ60と移送ねじ30との境界部に突出させて形成している。それによって、保持ねじ60は一定の貫入位置で停止して、それ以上コルク栓5に貫入しないため、保持ねじ60がコルク栓5を貫通しなくなる。したがって、保持ねじ60がコルク栓5を貫通することによって発生するコルク栓の破片がワインボトルの内部に落ちてワインが汚染されるという問題を防ぐことができる。
【００４５】
このような本コルク抜きはまた、逆に倒立させて直接保持ねじ60にろうそく120を固定して使用するか、あるいは図示のようにろうそく支え板122を支持体10bに挿入し、ろうそく支え板に設けた装着溝にろうそく120を差し込むことにより、燭台として使用することもできる。
【００４６】
図12Aおよび図12Bは、図8に示した本発明によるコルク抜きの動作原理を説明するための動作説明図であり、図12Aはワインボトルを挿入する前の状態を示し、図12Bはワインボトルをカッター付きケーシング内に挿入した後の状態を示している。
【００４７】
本コルク抜きは、使用前には弾性体90により上方に弾性的に支持され、カッター付きケーシング80自身の弾性により、図12Aに示すように支持体10bの内面へ突出したＶ字形の内側傾斜部17bとカッター付きケーシング80の外側傾斜部82とが、それぞれの頂点で密着して位置することとなる。
【００４８】
このような状態で、ワインボトル3をカッター付きケーシング80内に挿入すると、図12Bのようにカッター付きケーシング80はワインボトル3により押し上げられる。この時、支持体10bの内側傾斜部17bの折曲点(尖頭部)に対して、カッター付きケーシング80の外側傾斜部82が滑りつつ上昇しながらカッター付きケーシング80の各分割部分が中心に向けて押圧される。これによって、分割されたカッター付きケーシング80の上部内側に取り付けた一対の二重カッター88が、進入してきたワインボトル3の側面を覆っているフォイル4を押圧することとなる。この状態で、押し回しハンドル40を回転させると、移送ねじ30は、螺合している取り出しハンドル20bの雌ねじに沿って回転しながら前進する。それによって、保持ねじ60も回転しながら前進してコルク栓5に進入する。保持ねじ60は、止め部材64がコルク栓5の上面に到達する時まで進入することができる。止め部材64は保持ねじ60がコルク栓5を完全に貫通してしまうことを防止して、コルク栓5の破片がワインボトル3内のワインの中に落ちることを防ぐ。
【００４９】
本コルク抜きは、二種類の方式でコルク栓5を取り出すことができる。第一の方式は保持ねじ60がコルク栓5へ貫入して固定された状態で、支持体10bを握ってワインボトル3を回す方式である。二番目の方式は、支持体10bを握って、支持体10bと結合したワイングラス形の半分の形状をなす取り出しハンドル20bを回転させることによってワインボトル3からコルク栓5を簡単に分離して除去するものである。二番目の方式は、先に第一の実施形態で説明しているので、以下では第一の方式について説明する。
【００５０】
コルク栓5内に保持ねじ60を貫入させた後ワインボトル3を回転させると、フォイル4に密着した二重カッター88が回転しながらフォイル4を切断する。続いてワインボトル3を回転させると、コルク栓5と、これに貫入させた保持ねじ60および移送ねじ30が一体となって回転する。その結果、移送ねじ30は支持体100の締結孔108の雌ねじに沿って上昇する。ワインボトル3は、ワインボトル係止部104で止められて上昇できないため、コルク栓5のみが保持ねじ60により引き出される。コルク栓5が完全に引き出される時までワインボトル3を回すと、保持ねじ60の上昇と共に、これに固定されたコルク栓5がワインボトル3の口から上昇して取り出される。
【００５１】
図13は本発明によるコルク抜きのさらに他の実施形態を示した組立斜視図であり、図14Aおよび図14Bは図13に示すコルク抜きの側面図および平面図であり、また図15は図13に示すコルク抜きの断面図である。
【００５２】
図13〜図15に示す本発明によるコルク抜きの実施形態は、既に説明した実施形態に見られる構成の複雑さをより簡略化、単純化して組立性を改善し、それによって製造単価をも削減するための方策として開発されたものである。
【００５３】
ワイングラス形状を有する前述した実施形態においては、ワイングラス形状を形成するために円筒形の個々の支持体と取り出しハンドルとを互いに回転可能に結合して構成しているが、本実施形態では、これをさらに簡素化するために、取り出しハンドルを省略して支持体100を下方まで延長し、花の蕾の形状に構成している。このような蕾形の支持体100において、上側部分を両側に切り開いて一対の花弁形状を形成している。支持体100は高い弾性を有する合成樹脂材料、望ましくは高弾性プラスチックを使用する。これによって、蕾形状を有する本コルク抜きの支持体100の内部にワインボトルを挿入すると、一対の上部花弁102が弾性を有してわずかに開き、ワインボトルの挿入後には、上部花弁102が自身の弾性によって収縮しようとするため、ワインボトルの口が締め付けられることとなる。このような弾性を有する上部花弁102の内側に一対のカッター110を装着し、ワインボトルの口を覆っているフォイルを切断する。このカッター110は、ワインボトルの側面と対応するように少なくとも二つ以上を装着することが望ましく、これに伴いワインボトルの側面を覆うフォイル部分が切断可能となる。このカッター110と隣接して、ワインボトルの口の適正な程度のみが支持体100の内部に進入できるようにワインボトル係止部104を形成している。このような上部花弁102は、本実施形態のような二個以外にも、三個または四個、あるいはそれ以上でも可能であり、その形状は図示のようにチューリップ形状だけでなく、バラやその他の多様な花の形状または、さらにはケーシング状とすることも可能である。本実施形態ではチューリップ形で上部花弁102の下部に下部花弁06の形状を形成することによって、より花に近い形状として美観を増している。
【００５４】
もちろん、本実施形態においても支持体100には雌ねじを形成した締結孔108が穿孔されており、この締結孔108と移送ねじ30とが螺合して移送ねじ30が回転することにより、支持体100の内部で保持ねじ60が上昇または下降することとなる。特に、本花弁形状のコルク抜きでは、押し回しハンドル40を図示のように三角形形状で構成する以外にも、前述したように円形、棒型など多様な形状とすることができ、花弁に相応しい木の葉形状とすると、さらに洗練された美観を増して装飾性を高めることができる。もちろん、支持体の形状に相応しい木の葉形状とした押し回しハンドルの場合、色は緑色とし、そして蕾形状の支持体100は花の色に適した色にするとさらに効果的である。
【００５５】
図16Aおよび図16Bは、図13に示した本発明によるコルク抜きの動作原理を説明するための断面図であり、図16Aはワインボトルを本コルク抜きに挿入する前の状態を示し、図16Bはワインボトルを本コルク抜きに挿入した後の状態を示している。
【００５６】
本コルク抜きは、ワインボトル3を挿入する前には図16Aに示すように二つの上部花弁102が上方向に分枝し、花弁自体が一定の弾性を維持している。この状態で支持体100の内部にワインボトル3を挿入すると、一対の上部花弁102が外側に開き、ワインボトル3はワインボトル係止部104に当接するまで挿入される。すると一対の上部花弁102は弾性を有しているため、挿入されたワインボトル3の口を締め付けるようになる。このように上部花弁102がワインボトル3を締め付けると共に、上部花弁102の内側にある一対のカッター110がワインボトル3の側面を覆っているフォイル4を押圧する。
【００５７】
こうしてワインボトル3の口を本コルク抜きの支持体100で外部から挟んだ状態で、押し回しハンドル40を回転させると、支持体100の雌ねじによって移送ねじ30が案内され、それによって容易にワインボトルのコルク栓5内に保持ねじ60が貫入することとなる。コルク栓5内に保持ねじ60が完全に入り込んだ後、支持体100を一方の手で握り、もう一方の手でワインボトル3を回転させると、フォイル4に押し付けられていたカッター110が回転しながらフォイル4を切断する。なお、これ以降のコルク栓5の取り出し機構は先に説明した第二の実施形態の最初の方式と同じである。
【００５８】
図17は、図13に示した花弁形状の支持体の他の変形例を示す、部分的な斜視図である。
【００５９】
図13〜図16Bに示した実施形態では、部品の簡略化と構造の単純化を図るために、取り出しハンドルを支持体に吸収して一体化しているが、取り出しハンドルの本来の機能を生かすために、図17に示すように上部花弁部分を支持体130として、また上部花弁を覆う下部花弁部分を取り出しハンドル140として、これらの結合部分である支持体130の下段部に係止部132を形成し、一方取り出しハンドル140の対応部位には結合支持部142を形成してこれらを相互に結合することにより、支持体130上で取り出しハンドル140が回転しながらワインボトルからコルク栓を抜き出すように構成することも可能である。
【００６０】
ここに開示した実施形態は、種々の実施可能な例の中から当業者の理解を助けるために最も望ましいものを選定して提示したに過ぎず、本発明の技術的思想は必ずこの実施形態のみによって限定されるものでも、あるいは制限されるものでもなく、本発明の技術的思想を逸脱しない範囲内で多様な変化と変更が可能であることはもちろん、均等な他の実施形態も可能である。
【００６１】
産業上の利用可能性
以上で説明したように、本発明による回転式コルク栓の取り出し構造を有するコルク抜きは、円筒形の支持体をワインボトルの口に載置した押し回しハンドルを回して保持ねじを下降させてコルク栓内へ貫入させた後に、押し回しハンドルと螺合した取り出しハンドルを回転させることによって押し回しハンドルと連結し保持ねじがコルク栓を保持したまま上昇し、それによってワインボトルの口からコルク栓を容易に抜き出すことができるという効果を有するものである。特に、コルク栓に保持ねじを挿入して該コルク栓を保持した状態で、取り出しハンドルを緩やかに回転させて取り出すために大きい力を加えなくても使用が非常に容易で安定的であるという利点がある。このように、本発明はコルク栓の取り出し時にわずかな力でも上下各ハンドルを容易に回すことができ、その回転力を直進力に変換してコルク栓を取り出すために力が弱い老人や女性が使用する場合にも非常に便利である。また、支持体と取り出しハンドルとを結合しワイングラス形状にデザインする一方、その表面に多様な紋を成形して美観を倍加することができるという特徴をも有する。特に、本コルク抜きを花弁形状として、コルク抜き自体の弾性によりカッターがフォイルと密着しながらフォイルを切断できるようにすることによって、外観はさらに洗練され、しかも構造をさらに単純化して、美麗でありながらも生産性の向上ができ、製造費用が節減できるという効果もある。
【図面の簡単な説明】
【００６２】
【図１】図1Aおよび図1Bは本発明による回転式コルク栓の取り出し構造を有するコルク抜きの一実施形態を示した斜視図および部分断面図である。
【図２】図2は図1Aに示した円形切断板を裏返しにして示す斜視図である。
【図３】図3Aおよび図3Bは本発明による回転式コルク栓の取り出し構造を有するコルク抜きにおける移送ねじの実施形態を示した部分断面図である。
【図４】図4Aおよび図4Bは本発明における押し回しハンドルの実施形態を示す斜視図である。
【図５】図5Aおよび図5Bは本発明における取り出しハンドルの実施形態を示す斜視図である。
【図６】図6Aおよび図6Bは本発明の使用状態を示す断面図である。
【図７】図7は本発明の他の実施形態を示す斜視図である。
【図８】図8は本発明のさらに他の実施形態を示す組立斜視図である。
【図９】図9は図8に示す実施形態の分解組立図である。
【図１０】図10は図8に示す実施形態の断面図である。
【図１１】図11Aおよび図11Bは図8に示す実施形態における二重カッターの使用方法を示す使用状態図である。
【図１２】図12Aおよび図12Bは図8に示す実施形態の動作原理を説明するための動作説明図である。
【図１３】図13は本発明のさらに他の実施形態を示す組立斜視図である。
【図１４】図14Aおよび図14Aは図13に示す実施形態の側面図および平面図である。
【図１５】図15は図13に示す実施形態の断面図である。
【図１６】図16Aおよび図16Bは図13に示す実施形態の動作原理を説明するための動作説明図である。
【図１７】図17は図13に示した花弁形状の支持体の他の変形例を示す部分的な斜視図である。
【国際公開パンフレット】
2004536752.tif 000003
2004536752.tif 000004
2004536752.tif 000005
2004536752.tif 000006
2004536752.tif 000007
2004536752.tif 000008
2004536752.tif 000009
2004536752.tif 000010
2004536752.tif 000011
2004536752.tif 000012
2004536752.tif 000013
2004536752.tif 000014
2004536752.tif 000015
2004536752.tif 000016
2004536752.tif 000017
2004536752.tif 000018
2004536752.tif 000019
2004536752.tif 000020
2004536752.tif 000021
2004536752.tif 000022
2004536752.tif 000023
2004536752.tif 000024
2004536752.tif 000025
2004536752.tif 000026
2004536752.tif 000027
2004536752.tif 000028
2004536752.tif 000029
2004536752.tif 000030
2004536752.tif 000031
2004536752.tif 000032
2004536752.tif 000033
2004536752.tif 000034
2004536752.tif 000035
2004536752.tif 000036
2004536752.tif 000037
2004536752.tif 000038
2004536752.tif 000039
2004536752.tif 000040
2004536752.tif 000041
2004536752.tif 000042
2004536752.tif 000043
2004536752.tif 000044
2004536752.tif 000045
2004536752.tif 000046
2004536752.tif 000047
2004536752.tif 000048
2004536752.tif 000049
2004536752.tif 000050
2004536752.tif 000051
2004536752.tif 000052
2004536752.tif 000053
2004536752.tif 000054
2004536752.tif 000055
2004536752.tif 000056
2004536752.tif 000057
【国際調査報告】
2004536752.tif 000058
2004536752.tif 000059